(57)【特許請求の範囲】
【請求項１】
自動車のエアコン吹き出し口に取り付けられ、飲料容器を保持するためのドリンクホルダーであって、
飲料容器を支える底部と、底部の両サイドから立設された左右一対の本体脚部及び該本体脚部の上端に架設され、クリップを介してエアコン吹き出し口に取り付けられるクリップ取付部とで門形に構成されたホルダー本体と、
ホルダー本体の本体脚部の下部にそれぞれ設けられた軸受に挿入された回転軸にて起倒自在に取り付けられ、起立時にホルダー本体との間で飲料容器の収納凹部を構成する可動部と、
可動部とホルダー本体との間に配設され、可動部を起こす方に弾発付勢するばねと、
前記クリップ取付部の収納凹部側の面に回転自在且つ該面に露出するように設けられた球体とで構成され、
可動部は、回転軸が設けられた左右一対のアーム部と、アーム部の上端を繋ぐ容器挟持部とで門形に構成され、
可動部の容器挟持部の上面はホルダー本体の上面より高く形成されており、且つ容器挟持部の収納凹部側の面は長手方向に凸畝状で縦断面がなだらかな凸円弧状に形成されており、
前記アーム部のホルダー本体側端面と本体脚部のアーム部側端面のいずれか一方に位置決め凸条が形成され、いずれか他方に可動部が起立した時に嵌まり込む位置決め凹部が設けられていることを特徴とするドリンクホルダー。
【請求項２】
請求項１に記載したドリンクホルダーにおいて、
ばねは回転軸に装着されていることを特徴とするドリンクホルダー。
【発明の詳細な説明】
【技術分野】
【０００１】
本発明は、外面に樹脂コーティングされた、滑りにくいＬサイズやＳサイズの紙コップ、外面に横筋凹凸条が形成された紙コップ、ずん胴又は胴のくびれた５００ｍｌサイズのペットボトル或いは細缶から通常サイズの缶コーヒまであらゆるサイズの飲料容器の収容及び取り出しをスムーズに行うことができるドリンクホルダーに関する。
【背景技術】
【０００２】
近年、飲料水を持ち運びするための水筒に代わり、飲料水を充填したペットボトルがコンビニエンスストアなどで売られている。また、最近では店頭販売で熱いコーヒやスープなどが蓋つきの紙コップに入れて売られている。このような飲料容器を保持するための後付のドリンクホルダーが自動車のエアコン吹き出し口に一般に取り付けられている（特許文献１参照）。このような従来のドリンクホルダーは、飲料容器が収容される収容凹部を有するホルダー本体と、エアコン吹き出し口に取り付けられるクリップ状の取付具とで大略構成されている。
【０００３】
飲料容器は飲料水もさることながら需要者の注意を惹くものであり、最近ではずん胴円筒形の胴体を持つものや、胴のくびれたものなど様々な形状のペットボトルが出現している。紙コップでは、サイズの違いだけでなく、熱いコーヒやスープを収納しても熱が伝わらないように外表面に毛羽立った薄い断熱樹脂コーティングがなされたものもあらわれている。この断熱樹脂コーティングは非常に滑りにくい。
【０００４】
ドリンクホルダーは上記のように各種飲み物が充填された飲料容器を出し入れ可能に保持するものであるが、主として運転者が走行中に使用するという特殊性を有している。即ち、運転者は常時前方を注意した状態を保ったまま、ドリンクホルダーの方を殆ど見ることなく飲料容器を出し入れする。特に飲料容器をドリンクホルダーに収納する場合、飲料容器が上手く入らないと飲み物を運転席にこぼしてしまう。従って、飲料容器のドリンクホルダーへの収納に当たってはある程度飲料容器の底部がドリンクホルダーの収納凹部に入れば、その後は自動的に飲料容器が収納凹部に収納されるという事が求められる。
【０００５】
また、ドリンクホルダーに飲料容器を収納した場合、収容した飲料容器が車両の走行中の振動等によって倒れないようにする事は勿論、該振動により飲料容器がドリンクホルダーの収容凹部の硬い内周縁に接触してカタカタという耳障りな異音が発生させないことも要求される。そのためには飲料容器にドリンクホルダーの収容凹部が接触して収容凹部内で飲料容器が踊らないようにしなければならない。換言すれば、ドリンクホルダーの収容凹部と飲料容器との間に隙間が生じてはならない。
【先行技術文献】
【特許文献】
【０００６】
【特許文献１】実開平５−６２３３２号公報
【発明の開示】
【発明が解決しようとする課題】
【０００７】
ドリンクホルダーは上記のように様々な飲料容器に対応する必要があるが、従来のドリンクホルダーではせいぜい大小２種類の形の単純な飲料容器に対応することができる程度で、１つのドリンクホルダーでこのような多様な飲料容器に対応することは到底出来なかった。例えば、ずん胴のペットボトルを収納できるようにこれに合わせて収納凹部を大きな内径で形成すると、胴のくびれたペットボトルを収納しようとすると収納凹部の開口部とペットボトルのくびれた胴との間に隙間が生じ、走行中にペットボトルの胴と開口部とが接触してカタカタという異音を生じるというような問題があった。また、隙間が大き過ぎるとペットボトルが倒れやすくなる。
【０００８】
また、前述の収納凹部の開口部は単なる円形であったため、その開口部に正確にペットボトルを挿入しなければならないが、走行中、前方を注視しながら左手だけでペットボトルをその開口部に正確に挿入することはかなり難しいというような使用上の問題もあった。そして、ペットボトルの底が収納凹部の壁に引っ掛かって挿入しずらい場合には、走行中であるにもかかわらず自然とドリンクホルダーの方に目が行き、前方の注視がおろそかになるようなことも指摘されていた。
【０００９】
本発明は１つのドリンクホルダーで、大小は勿論、ずん胴又は胴がくびれたペットボトル、缶コーヒや缶ジュース、滑りにくい紙コップ迄、ドリンクホルダーに目をやる必要がなく前方を注視したままで一回の片手動作で収容できる画期的なドリンクホルダーを提供することをその課題とする。
【課題を解決するための手段】
【００１０】
請求項１に記載した発明は、
自動車のエアコン吹き出し口１１０に取り付けられ、飲料容器１００を保持するためのドリンクホルダーＡであって、
飲料容器１００を支える底部１０と、底部１０の両サイドから立設された左右一対の本体脚部５ｂ及び該本体脚部５ｂの上端に架設され、クリップ３を介してエアコン吹き出し口１１０に取り付けられるクリップ取付部５ａとで門形に構成されたホルダー本体１と、
ホルダー本体１の本体脚部５ｂの下部にそれぞれ設けられた軸受５ｅに挿入された回転軸２ｅにて起倒自在に取り付けられ、起立時にホルダー本体１との間で飲料容器１００の
収納凹部１２を構成する可動部２と、
可動部２とホルダー本体１との間に配設され、可動部２を起こす方に弾発付勢するばね８と、
前記クリップ取付部５ａの収納凹部１２側の面（前面）５ｇに回転自在且つ該面５ｇに露出するように設けられた球体４とで構成され、
可動部２は、回転軸２ｅが設けられた左右一対のアーム部２ｂと、アーム部２ｂの上端を繋ぐ容器挟持部２ｃとで門形に構成され、
可動部２の容器挟持部２ｃの上面２ｊはホルダー本体１の上面５ｊより高く形成されており、且つ容器挟持部２ｃの収納凹部１２側の面（内面）２ｄは長手方向に凸畝状で縦断面がなだらかな凸円弧状に形成されており、アーム部２ｂのホルダー本体側端面と本体脚部５ｂのアーム部側端面のいずれか一方に位置決め凸条２ｆが形成され、いずれか他方に可動部２が起立した時に嵌まり込む位置決め凹部５ｆが設けられていることを特徴とする。
【００１１】
請求項２に記載した発明は請求項１において、
ばね８は回転軸２ｅに装着されていることを特徴とする。
【発明の効果】
【００１３】
本発明は、可動部２の容器挟持部２ｃの上面２ｊはホルダー本体１の上面５ｊより高く形成されているので、飲料容器１００を収納しようとすると、収納容器１００の底部１０１がまず可動部２の容器挟持部２ｃの上面２ｊのいずれかの部分に接触する。これによりばね８が撓んで可動部２が倒れ、縦断面がなめらかな凸円弧状に形成された容器挟持部２ｃの収納凹部１２側の面（内面）２ｄに沿って収納容器１００が自然と収納凹部１２内に落ち込む。この途中で飲料容器１００の底部１０１がホルダー本体１の収納凹部１２側の面（内面）５ｇに接触した場合、球体４は回転して飲料容器１００の底部１０１を収納凹部１２内にガイドする。これにより、収納時にドリンクホルダーＡを殆ど見なくても片手で収納操作を完了させることができる。
【００１４】
そして前述のように、ホルダー本体１の前面５ｇには球体４が回転自在且つ該前面５ｇから露出するように設けられているので、たとえ滑りにくい断熱樹脂コーティング紙コップ１００を収納する場合でも、この球体４が回転して断熱樹脂コーティング紙コップ１００を収納凹部１２内にスムーズに案内する。
【００１５】
また、ホルダー本体１に対して可動部２が起倒し、起立した可動部２の容器挟持部２ｃの内面２ｄとホルダー本体１のクリップ取付部５ａの前面５ｇとで飲料容器１００の収納凹部１２の開口部を構成することになるので、ホルダー本体１に対する可動部２の開き具合を調整することによって、大小様々な飲料容器１００を収納できる。その際、ばね８の弾発作用により、収納された飲料容器１００は起立した可動部２の容器挟持部２ｃの内面２ｄとホルダー本体１のクリッブ取付部５ａの前面５ｇとで挟まれるので、走行中の振動により飲料容器１００がガタガタして異音を出すようなことがない。
【００１６】
また、ホルダー本体１と可動部２は門形に構成されているで、胴部１０２のくびれた飲料容器１００を収納凹部１２に収納した場合、飲料容器１００の太い底部１０１は門形の空間部分１ｋ・２ｋに位置し、くびれた胴部１０２はクリップ取付部５ａと容器挟持部２ｃとで挟みつけられ、ガタなく収納される。
【図面の簡単な説明】
【００１７】
【図１】本発明の実施例の斜視図である。
【図２】図１の分解斜視図である。
【図３】図１の拡大半断面図である。
【図４】図１の底面の斜視図である。
【図５】図１の収納凹部に飲料容器を収納した状態の側面図である。
【図６】図１の実施例において飲料容器を収納する状態を示した断面図である。
【発明を実施するための形態】
【００１８】
以下、本発明を図示実施例に基づいて詳述する。本発明のドリンクホルダーＡは、車内のエアコン吹き出し口１１０に取り付けて飲料容器１００を保持できるように構成されたものであり、ホルダー本体１及びホルダー本体１の背面に設けられているクリップ取付部５ａに取り付けられる別体の一対のクリップ３、ホルダー本体１に起倒自在に取り付けられている可動部２及びホルダー本体１の底面に取り付けられる調整板６より構成されている。
【００１９】
底板９は収納される飲料容器１００の最大のサイズのもの（例えば、５００ｍリットルサイズのペットボトル）を載置することができる大きさのもので、本実施例では略円形である。そしてその中央には中央片の中央側の端が接続した状態で弾性掛止片９ａが十字に切り抜かれている。弾性掛止片９ａは前記接続部分を中心にして両側に腕が張り出した形で、張り出した腕の先端が下に折れ曲がり、その折れ曲がり部分（この部分を折曲端部９ｃとする）の内寸が後述する調整板６のスライド板部６ｇの横幅に等しくなっている。そして、弾性掛止片９ａの中央片の自由端下面には掛止突起９ｂが突設されている。弾性掛止片９ａの前後には前述の折曲端部９ｃの内寸に等しい幅で内側に曲がった左右対称のＬ形係止突起９ｄが底板９の下面に突設されている。Ｌ形係止突起９ｄのＬ形は内向きで調整板６のスライド板部６ｇが４つのＬ形係止突起９ｄに係止されてスライドするようになっている。
【００２０】
リングフレーム７は底板９の外周に装飾的に嵌め込まれて使用されるもので、両サイドにサイド突起７ａが突設されている。
【００２１】
本実施例の本体脚部５ｂは底板９の外周側縁から上に伸びた板状の部材とその外側に設けられた板状の部材の２重構造で、内側部材の内周面の横断面形状は底板９の円弧に沿う凹円弧状である。本実施例の本体脚部５ｂはデザイン上、２重構造としているが、勿論、これに限られず１重構造でもよいことは言うまでもない。本体脚部５ｂの内面側前縁の中段には前縁に開いている四角形の掘り込みが形成されており、この掘り込みが位置決め凹部５ｆである。そして本体脚部５ｂの前縁下部には軸受アーム部５ｄが前方に向けて突設されており、この軸受アーム部５ｄの対向内面に同軸にて軸受５ｅが形成されている。この位置決め凹部５ｆと後述する位置決め凸部２ｆとは設ける位置を逆にしてもよい。
【００２２】
左右一対の前記本体脚部５ｂの上端にはクリップ取付部５ａの下半分を構成する取付部下部５ａ１が一体的に架設されている。この取付部下部５ａ１の上面と前面５ｇのコーナー部分には中心左右振り分けで球体収納穴１１の下半分が凹設されている。これを下半穴１１ａとする。下半穴１１ａは球体４の１／４強の大きさである。取付部下部５ａ１の前面５ｇは、本体脚部５ｂの横断面凹円弧状の内周面に合わせて凹円弧状に形成されている。
そして、取付部下部５ａ１の背面には横一列にて左右に伸びたクリップ取付孔５ａ２が穿設されている。
【００２３】
前述の取付部下部５ａ１の上面には取付部上部５ａ３が取り付けられるようになっており、取付部下部５ａ１と取付部上部５ａ３とでクリップ取付部５ａが構成される。そして取付部上部５ａ３の前面５ｇと下面のコーナー部には前述の球体収納穴１１の下半穴１１ａに合わせて球体収納穴１１の上半分が形成されている。これを上半穴１１ｂとする。上半穴分１１ｂも球体４の１／４強の大きさで、両者を合わせて球体収納穴１１が形成される。球体収納穴１１の前面開口の直径は球体４より小さく形成されており、球体収納穴１１内に回転可能に収納された球体４は球体収納穴１１から一部が露出するが飛び出さないようになっている。なお、上記の実施例ではクリップ取付部５ａを上下に分割した例を示したが、これに限られるものでなく、球体をクリップ取付部の背面側から球体収納穴の収納するようにして一体的に構成することも可能である。
【００２４】
球体４は表面が円滑な樹脂製の部材で、球体収納穴１１内でいずれの方向にも円滑に回転するように収納されている。
【００２５】
クリップ３は公知のもので様々な形があるが、一例を示すと、その先端部分は上下二股に形成されており、上側の長いクリップ爪３ａと、下側の短い抑え爪３ｂとで構成されており、上側のクリップ爪３ａと下側の抑え爪３ｂの先端の間にルバー挿入間隙が形成されている。そしてその元部には前述のクリップ取付孔５ａ２に係合する取付頭３ｃが設けられている。上側のクリップ爪３ａはエアコン吹き出し口１１０のルバー（図示せず）に掛け止することができるようにフック状に形成されている。
【００２６】
可動部２は、左右一対のアーム部２ｂとその上端に架設された容器挟持部２ｃとで構成された門形のもので、容器挟持部２ｃの内面（収納凹部１２側の面）２ｄは、長手方向に凸畝状で縦断面がなだらかな凸円弧状に形成されている。横長凸畝部分は容器挟持部２ｃの内面２ｄからなだらかに盛上っていてもよいし、縦断面が全体的になだらかな凸円弧状となっていてもよい。
アーム部２ｂは逆Ｌ形でその上部は外側に伸びたグースネック状を呈している。そして、可動部２の容器挟持部２ｃの上面２ｊの中央部分はホルダー本体１の上面５ｊより高く形成されている。これを高さＨで示す。そして上面２ｊの中央部分から両側に下がり方向に傾斜し、ホルダー本体１の上面５ｊの前端に至る。従って、容器挟持部２ｃの上面２ｊは朝顔状に外に拡がった状態となっている。
【００２７】
ホルダー本体１に対して以上のような可動部２を起立させ、その両サイドを対向させたとき、ホルダー本体１と可動部２との間には飲料容器１００を収納する収納凹部１２が形成され、その平面空間は円形を構成する。この時の容器挟持部２ｃの内面２ｄとホルダー本体１のクリップ取付部５ａの間隔は、最も細い飲料容器１００の胴部１０２の太さより狭く構成されている。
【００２８】
ばね８は、可動部２を起立させる方向に押圧付勢させるもので、本実施例ではつるまきばねが使用され、回転軸２ｅに装着されている。ばね８の一方の端部は可動部２に係止され、他方の端部は本体脚部５ｂに係止され、可動部２を起立させる方向に押圧付勢させている。勿論、構造を変えることにより、コイルばねを使用することも出来る。
【００２９】
調整板６はＬ形の部材で、水平のスライド板部６ｇと、その後端に垂直に取り付けられた当接板部６ｆとで構成され、スライド板部６ｇの表裏両面に凹凸６ｈが長手方向に多段にわたって形成されている。スライド板部６ｇの横幅は前述の左右一対のＬ形係止突起９ｄの内寸法に合わせて形成されている。
【００３０】
次に、本発明の作用に付いて説明する。まず、ドリンクホルダーＡのクリップ３を自動車のエアコン吹き出し口１１０のルーバーに引っ掛け、続いて調整板６を引き出してドリンクホルダーＡが水平になるように引き出し代を調節する。この時、弾性掛止片９ａの接続部分がばね性を持っており、これによりスライド板部６ｇのスライドと共にスライド板部６ｇの表面に形成した凹凸６ｈに底板９に設けた掛止片９ａの掛止突起９ｂが係脱して最適位置に調整板６を固定する。
【００３１】
なお、調整板６のスライド板部６ｇは、弾性掛止片９ａのアームの折曲端部９ｃにガイドされ且つ折曲端部９ｃの前後に設けられた左右一対のＬ形係止突起９ｄに抱かれてガイドされる。調整板６の凹凸６ｈは、スライド板部６ｇの長手方向に対して直角方向に伸びた畝状に設けられており、前述のようにスライド板部６ｇの長手方向に複数段設けられているので、掛止突起９ｂがその内の最適位置に嵌まり込んで固定する。この凹凸６ｈは、スライド板部６ｇの片面だけでなく前述のように両面に設けてもよく、その場合は調整板６を裏返して用いることが出来、スライド板部６ｇの後端から直角に伸びた当接板部６ｆを図のように上向きで使ったり、図示していないが下向きに使うことも出来る。
【００３２】
このようにドリンクホルダーＡのクリップ３を自動車のエアコン吹き出し口１１０に固定すると、次に飲料容器１００を収容することになる。
飲料容器１００は前述のように大小および形の異なるものがあるが、その収納の形態を図５〜６に従って説明する。この場合、飲料容器１００の収納は前述のように運転者が前方を注視しながらドリンクホルダーＡを殆ど見ることなく左手で挿入する場合を代表例として説明する。飲料容器１００の代表例として胴のくびれた容器を用いる。ドリンクホルダーＡは未収納状態では、ばね８の作用で図５のような閉じた状態になっている。
【００３３】
運転者が飲料容器１００をドリンクホルダーＡに収納しようとしてドリンクホルダーＡの方向を殆ど見ることなく左手で飲料容器１００を少し傾け、その底部１０１を収容凹部１２に挿入しようとすると、底部１０１の側面が可動部２の湾曲した容器挟持部２ｃの朝顔状に開いた開口縁２ｃ１のいずれかの部分に当たる。これにより可動部２は飲料容器１００の重みでばね８が撓み、若干倒れ込む。これにより収容凹部１２の口は更に大きく開く。開口縁２ｃ１全体は図１からわかるように半円弧状で、その縦断面形状は図６からわかるように収容凹部１２の内側方向に凸カーブしているので、仮に飲料容器１００が容器挟持部２ｃの中央から外れても可動部２の倒れ込みによる口の開きにより開口縁２ｃ１はより水平に倒れて飲料容器１００の底部１０１が収納凹部１２内に滑り込みやすくなっているので、底部１０１の側面が開口縁２ｃ１を滑りながら収容凹部１２に落ち込んで行く。
即ち、飲料容器１００の底１０１或いはその側面が開口縁２ｃ１のどの部分に接触しても収容凹部１２の内側方向にカーブした開口縁２ｃ１に沿って収容凹部１２の内側にスムーズに導かれて収容凹部１２に落ち込んで行く。
【００３４】
飲料容器１００が斜め上方向から収容凹部１２内にある程度滑り込むと、そのまま或いは底部１０１が球体４に接触し、球体４が回転する。これにより飲料容器１００は途中で引っ掛かることなく収容凹部１２にスムーズに嵌まり込む。飲料容器１００の収容凹部１２への嵌まり込み同期して可動部２がばね８の弾発力で起き上がり、可動部２の容器挟持部２ｃと左右の球体４にて隙間なく挟み込む。図のように胴のくびれたものである場合でも飲料容器１００は上記のように挟み込まれることになるので、走行中の振動が伝わったとしても収納凹部１２内で踊ることがなく異音を発生しない。またこの時、可動部２の両側面の位置決め凸部２ｆがホルダー本体１の両サイド内面中段に凹設された位置決め凹部５ｆに嵌まり込むので、可動部２は左右方向にずれるようなこともない。
【００３５】
また上記のようにホルダー本体１及び可動部２は門型構造であるから、胴のくびれた飲料容器１００の膨れた底部１０１は門型のホルダー本体１及び可動部２の空間部分１ｋ・２ｋに嵌まり込み、このような形状の飲料容器１００の収容もガタなしで可能になる。飲料容器１００がずん胴形のものであれば、可動部２は、当然、胴のくびれた飲料容器１００より若干開いた状態になるが、収納された飲料容器１００の胴部１０１を同様に可動部２の容器挟持部２ｃと左右の球体４にて隙間なく挟み込むことになる。この場合も位置決め凸部２ｆは位置決め凹部５ｆに少し浅い状態で嵌まり込む。
【００３６】
次に、表面に断熱樹脂コーティングされた、滑りにくい普通の紙コップ（図示せず）の場合に付いて説明する。基本的には上記と同様であるが、この場合は逆円錐台状である。蓋の付いた紙コップを収納凹部の上方から挿入すると、その底が可動部の容器挟持部の内面又は球体に接触する。容器挟持部の内面は前述のようにカーブしているため、そして可動部が開くため、滑りにくい紙コップでもスムーズに挿入できる。球体に接触すれば球体が回転して同様にスムーズに挿入できる。
【００３７】
収納された飲料容器１００を取り出す場合、容器１００を持って引き上げれば球体４が回転すると共に可動部２が開く方向に動き、飲料容器１００の取り出しを阻害しない。
【００３８】
以上のように、本発明にかかるドリンクホルダーＡは、どのような形状の飲料容器１００でも収納凹部１２に無造作に挿入すれば自動的に可動部２が開閉すると共にこれをガイドしてスムーズに収納させることになるし、取り出し時もスムーズに行える。
【符号の説明】
【００３９】
Ａ：ドリンクホルダー、１：ホルダー本体、１ｋ：空間部分、２；可動部、２ｂ：アーム部、２ｃ：容器挟持部、２ｃ１：開口縁、２ｄ：内面（収納凹部側の面）、２ｅ：回転軸、２ｆ：位置決め凸部、２ｊ：上面、２ｋ：空間部分、３：クリップ、３ａ：上側のクリップ爪、３ｂ：下側の抑え爪、３ｃ：取付頭、４：球体、５：門形構造体、５ａ：クリップ取付部、５ａ１：取付部下部、５ａ２：クリップ取付孔、５ａ３：取付部上部、５ｂ：本体脚部、５ｄ：軸受アーム部、５ｅ：軸受、５ｆ：位置決め凹部、５ｇ：前面（収納凹部側の面）、５ｊ：上面、６：調整板、６ｆ：当接板部、６ｇ：スライド板部，６ｈ：凸凹、７：リングフレーム、７ａ：サイド突起、８：ばね、９：底板、９ａ：弾性掛止片、９ｂ：掛止突起、９ｃ：折曲端部、９ｄ：Ｌ形係止突起、１０：底部、１１：球体収納穴、１１ａ：下半穴、１１ｂ：上半穴、１２：収納凹部、１００：飲料容器、１０１：飲料容器の底部、１０２：胴部、１１０：エアコン吹き出し口。
【図１】
0006577837.tif 000002
【図２】
0006577837.tif 000003
【図３】
0006577837.tif 000004
【図４】
0006577837.tif 000005
【図５】
0006577837.tif 000006
【図６】
0006577837.tif 000007